(57)【特許請求の範囲】
【請求項１】
一方の面に粘着層が形成された平面素材が折り曲げられて形成される小動物捕獲シートであって、
前記平面素材には、前記粘着層が形成される面に、第１の谷折り線と第２の谷折り線とが平行に設けられ、
前記第１の谷折り線と前記第２の谷折り線との間に、第１の山折り線と第２の山折り線とが、前記第１の山折り線と平行に設けられ、
前記第１の山折り線と前記第２の山折り線との間に、第３の谷折り線が、前記第１の山折り線と平行に設けられ、
前記平面素材の一方の端部から他方の端部への間で、前記第１の谷折り線、前記第１の山折り線、前記第３の谷折り線、前記第２の山折り線、前記第２の谷折り線が等間隔に配置され、隣接する折れ線の間の間隔は、３ｃｍ〜４ｃｍであり、
設置時において、前記第１の谷折り線乃至第２の谷折り線までの部分が、地面から浮く凸部となる、
小動物捕獲シート。
【請求項２】
前記平面素材は、四角形に形成されている、請求項１に記載の小動物捕獲シート。
【請求項３】
前記平面素材の前記粘着層が形成される面の周縁部には、前記粘着層より厚みが大きい非粘着層が形成されている、
請求項１又は２に記載の小動物捕獲シート。
【発明の詳細な説明】
【技術分野】
【０００１】
本発明は、ネズミ等の小動物を捕獲する小動物捕獲シートに関するものである。
【背景技術】
【０００２】
従来より、ネズミ等の小動物を捕獲する手段として、台紙上に粘着剤を設けた粘着式の小動物捕獲シートが知られている。しかしながら、小動物の中でも、ネズミは、非常に警戒心の強い動物であり、人間が仕掛けたトラップには容易にはかからないのが現実である。
【０００３】
そのため、例えば、特許文献１には、可撓性を有し、上面に粘着剤を塗布してなるシートと、このシートを平坦に固定可能である固定手段を有する台紙とを有する粘着式の捕獲シートが開示されている。
【先行技術文献】
【特許文献】
【０００４】
【特許文献１】特開２００８−５４６１６号公報
【発明の概要】
【発明が解決しようとする課題】
【０００５】
しかしながら、ネズミの足裏には、水、油及び埃等が付着しているため、ネズミに対する粘着性が十分ではなかった。
【０００６】
そこで、本発明は、ネズミを確実に捕獲できる小動物捕獲シートを提供することを目的としている。
【課題を解決するための手段】
【０００７】
前記目的を達成するために、本発明の小動物捕獲シートは、少なくとも一方の面に粘着層が形成された平面素材が折り曲げられて形成される小動物捕獲シートであって、前記平面素材には、前記粘着層が形成される面に、第１の谷折り線と第２の谷折り線とが平行に設けられていることを特徴としている。
【発明の効果】
【０００８】
本実施形態に係る小動物捕獲シートは、ネズミを確実に捕獲することができる。
【図面の簡単な説明】
【０００９】
【図１】本発明の一実施形態に係る小動物捕獲シートの全体構成を説明する上面図である。
【図２】本発明の一実施形態に係る小動物捕獲シートを設置した場合の側面図である。
【発明を実施するための形態】
【００１０】
以下、本発明に係る一実施形態について図面を参照して説明する。ただし、以下の実施形態に記載されている構成要素は例示であり、本発明の技術範囲をそれらのみに限定する趣旨のものではない。
【００１１】
（小動物捕獲シートの構成）
図１に、本発明の一実施形態に係る小動物捕獲シートの全体構成を説明する上面図を示す。本実施形態に係る小動物捕獲シート１００は、好ましくは四角形の平面素材であり、一方の面に粘着層１０２を有する。
【００１２】
小動物捕獲シート１００の主材料としては、例えば、シリコン樹脂等の湾曲可能な公知の材料が挙げられる。
【００１３】
小動物捕獲シート１００の粘着層１０２は、小動物捕獲シート１００の一方の面に、公知の粘着剤を塗布して形成される。
【００１４】
また、本実施形態に係る小動物捕獲シート１００は、粘着層１０２が形成される面の周縁部には、小動物捕獲シート１００の全周に亘って、粘着層１０２より厚みが大きい非粘着層１０４が形成されている、
一例として、粘着層１０２の厚さは、１ｍｍ以下程度で、非粘着層１０４の厚さは、１ｍｍを超えて３ｍｍ以下程度とすることができる。
【００１５】
また、本実施形態に係る小動物捕獲シート１００は、一方の端部１００ａから他方の端部１００ｂの間に、第１の谷折り線１０６、第１の山折り線１０８、第３の谷折り線１１０、第２の山折り線１１２、第２の谷折り線１１４が順番に形成されている。
【００１６】
ここで、第１の谷折り線１０６、第１の山折り線１０８、第３の谷折り線１１０、第２の山折り線１１２、第２の谷折り線１１４は、一方の端部から他方の端部までの間で、互いに平行、かつ、等間隔となるように配置されている。
【００１７】
また、隣接する折れ線の間の間隔、一方の端部１００ａと第１の谷折り、３ｃｍ程度、例えば、２ｃｍ〜４ｃｍとすることが好ましい。
【００１８】
（小動物捕獲シートの効果）
次に、上記説明した本実施形態に係る小動物捕獲シートの効果について、図を参照して説明する。図２に、本発明の一実施形態に係る小動物捕獲シートを設置した場合の側面図を示す。なお、図２は、説明のために、小動物捕獲シートの厚さを省略して示している。
【００１９】
図２に示すように、本実施形態に係る小動物捕獲シートを設置する場合、一方の端部１００ａと第１の谷折り線１０６との間、及び、第２の谷折り線１１４と他方の端部１００ｂとの間が地面と接するように設置する。これにより、第１の谷折り線１０６乃至第２の谷折り線１１４までの部分が、地面から浮く凸部となる。なお、設置時において第３の谷折り線１１０は、折って使用しても良いし、折らず又は外力を加えない自然の形のまま使用しても良い。
【００２０】
上記のように本実施形態に係る小動物捕獲シートを設置することで、例えばネズミＭは、腹部の体毛部分が凸部の粘着層１０２と接することとなるため、確実にネズミＭを捕獲することができる。また、上述の通り、隣接する折れ線の間の間隔、一方の端部１００ａと第１の谷折り線１０６との間の間隔、及び、第２の谷折り線１１４と他方の端部１００ｂとの間の間隔は、３ｃｍ程度、例えば、２ｃｍ〜４ｃｍとしている。この場合、ネズミＭの体毛部分が凸部の上に接することで、ネズミＭが約３ｃｍ落下することとなる。そのため、落下及び落下後の踏ん張りにかかる時間として、おおよそ０．０８秒長く、ネズミＭが粘着層１０２と接することとなるため、より確実にネズミＭを捕獲することができる。さらに、ネズミＭは、膝をより曲げる必要があるため、通常時と比較して腹部の体毛部分がより粘着層１０２と接着する可能性が高くなると考えられる。
【００２１】
なお、本実施形態に係る小動物捕獲シートは、販売や搬送する場合、上記５つの折り線で折らずに１枚の平面素材として販売又は搬送しても良いし、上記５つの折り線で折った状態で販売又は搬送しても良い。本実施形態に係る小動物捕獲シートは、粘着層１０２が形成される面の周縁部には、小動物捕獲シート１００の全周に亘って、粘着層１０２より厚みが大きい非粘着層１０４が形成されている。そのため、上記５つの折り線で折った状態で販売又は搬送する場合、粘着層１０２同士が接触することなく、安全に本実施形態に係る小動物捕獲シートを販売又は搬送することができる。
【００２２】
以上説明したように、本実施形態に係る小動物捕獲シートは、一方の面に粘着層が形成された平面素材が折り曲げられて形成される小動物捕獲シートであって、前記平面素材には、前記粘着層が形成される面に、第１の谷折り線と第２の谷折り線とが平行に設けられている。そのため、ネズミを確実に捕獲することができる。
【符号の説明】
【００２３】
１００      小動物捕獲シート
１０２      粘着層
１０４      非粘着層
１０６      第１の谷折り線
１０８      第１の山折り線
１１０      第３の谷折り線
１１２      第２の山折り線
１１４      第２の谷折り線
【要約】
【課題】ネズミを確実に捕獲できる小動物捕獲シートを提供する。
【解決手段】  一方の面に粘着層が形成された平面素材が折り曲げられて形成される小動物捕獲シートであって、前記平面素材には、前記粘着層が形成される面に、第１の谷折り線と第２の谷折り線とが平行に設けられる、小動物捕獲シート。
【選択図】図１【図１】
0006689440.tif 000002
【図２】
0006689440.tif 000003